(57)【特許請求の範囲】
【請求項１】
Ｌ字型断面の４本の枠材を組み合わせ、枠材は、組み合わされることで平面を形成してディスプレイ画面を取り囲む平枠と、平枠を取り囲む帯状の縦枠とにより構成されるディスプレイ画面用筐体において、
縦枠の両端の内側にフランジ部とウエブ部とからなるＬ字型断面の第１リブ及びＴ字型断面の第２リブが長手方向に並列して設けられ、それぞれのウエブ部が縦枠に接続される枠材と、
組み合わされる枠材双方の第１リブのフランジ部に係止される第１締結金具と、
組み合わされる枠材双方の第２リブの一方のフランジ部に係止される第２締結金具と、
第１締結金具と第２締結金具とを締め込む締結ネジと、
組み合わされた枠材双方の第２リブの他方のフランジ部にその一端が係止され、組み合わされた枠材双方の平枠の両端の内側に設けられたネジ付き金属柱にネジにより締結されるクロス金具と、を備え、
第１締結金具及び第２締結金具は、締結ネジにより締め付けられることで双方の平枠の面内の隙間を塞ぎ、クロス金具は、ネジを締め込まれることで双方の平枠の面外の段差を矯正することを特徴とするディスプレイ画面用筐体。
【請求項２】
請求項１に記載のディスプレイ画面用筐体であって、第１締結金具は、その端部が第２締結金具に向かう方向に傾斜する傾斜部を有して第１リブのフランジ部の端部に接触し、第２締結金具は、その端部が第１締結金具に向かう方向に傾斜する傾斜部を有して第２リブの一方のフランジ部の端部に接触し、締結ネジにより第１締結金具及び第２締結金具が締め付けられると、第１リブのフランジ部の端部と第２リブの一方のフランジ部の端部とが第１締結金具及び第２締結金具のそれぞれの傾斜部により押し出され、双方の平枠の面内の隙間が塞がれることを特徴とするディスプレイ画面用筐体。
【請求項３】
Ｌ字型断面の４本の枠材を組み合わせ、枠材は、組み合わされることで平面を形成してディスプレイ画面を取り囲む平枠と、平枠を囲む帯状の縦枠とにより構成されるディスプレイ画面用筐体において、
縦枠の両端の内側にフランジ部とウエブ部とからなるＬ字型断面の第１リブ及びＴ字型断面の第２リブが長手方向に並列して設けられ、それぞれのウエブ部が縦枠に接続される枠材と、
組み合わされる双方の枠材の隅角部に設けられるコーナー部材と、
コーナー部材に対向して設けられ、組み合わされた枠材双方の第１リブのフランジ部、及び第２リブの一方のフランジ部に係止される締付け金具と、
コーナー部材と締付け金具とを締め込む締付けネジと、
組み合わされた枠材双方の第２リブの他方のフランジ部にその一端が係止され、組み合わされた枠材双方の平枠の両端の内側に設けられたネジ付き金属柱にネジにより締結されるクロス金具と、を備え、
締付け金具は、締付けネジにより締め付けられることで双方の平枠の面内の隙間を塞ぎ、クロス金具は、ネジを締め込むことで双方の平枠の面外の段差を矯正することを特徴とするディスプレイ画面用筐体。
【請求項４】
請求項３に記載のディスプレイ画面用筐体であって、締付け金具は、第１リブのフランジ部の端部、及び第２リブの一方のフランジ部の端部に接触する部分にコーナー部材に向かう方向に傾斜する傾斜部を有し、締付けネジにより締付け金具が締め付けられると、第１リブのフランジ部の端部と、第２リブの一方のフランジ部の端部とが締付け金具の傾斜部により押し出され、双方の平枠の面内の隙間が塞がれることを特徴とするディスプレイ画面用筐体。
【請求項５】
請求項３又は４に記載のディスプレイ画面用筐体であって、コーナー部材は、双方の枠材の縦枠と斜めに交差する隅切り面を有することを特徴とするディスプレイ画面用筐体。
【請求項６】
請求項１乃至５のいずれか１に記載のディスプレイ画面用筐体であって、枠材の平枠には長手方向に突起部が設けられ、クロス金具は、組み合わされた枠材双方の突起部に他端部が係止されることを特徴とするディスプレイ画面用筐体。
【発明の詳細な説明】
【技術分野】
【０００１】
本発明は、ディスプレイ画面用筐体に係り、特に、Ｌ字型断面の４本の枠材を組み合わせ、枠材は、組み合わされることで平面を形成してディスプレイ画面を取り囲む平枠と、平枠を取り囲む帯状の縦枠とにより構成されるディスプレイ画面用筐体に関する。
【背景技術】
【０００２】
図１１に、従来のディスプレイ画面用筐体の一つの実施例を示す。図１１（ａ）には、ディスプレイ画面用筐体４０の全体の透視図を示し、図１１（ｂ）はその隅角部の拡大図を示す。ディスプレイ表示装置（図示せず）の画面枠であるディスプレイ画面用筐体４０は、枠材（Ｌ字型アングル材）４４が相互に突き合わされて組み立てられる。そして、この枠材４４には、ネジ部４３を有するディスプレイ表示装置用金属柱４２が取り付けられ、ディスプレイ表示装置が枠材４４に固定される。
【０００３】
この枠材４４は、図１１（ｂ）に示すように、組み合わされることで平面を形成してディスプレイ画面（図示せず）を取り囲む平枠４６と、平枠４６を取り囲む帯状の縦枠４５とにより構成される。
【０００４】
図１１に示されたディスプレイ画面用筐体４０は、例えば、フラット型テレビジョンなどの外装筐体となるため、図１１（ｂ）に示す枠材４４が組み合わせられた部分（Ｊ）には高い組立精度が要求される。すなわち、組み合わせ部分の隙間（図１１（ｂ）のＸ，Ｙ方向）の発生、及び段差（図１１（ｂ）のＺ方向）の発生を極力回避する必要がある。そして、その隙間や段差の許容誤差は０．１ｍｍ以下とされている。これは、製品の外観上の問題だけではなく、隅角部の部材の組み合わせ部分の組立精度が悪いと、テレビションを清掃する布がその隙間や段差により引っかかりクレームの対象となり、商品イメージを悪化させるなどの問題が発生するからである。
【０００５】
従来、ディスプレイ画面用筐体４０はプラスチック材で作られていた。しかし、ディスプレイ画面が、例えば６０インチ以上の大型になると、機械的強度の確保、軽量化、低価格化などが考慮され、アルミ合金などの金属材が採用されるようになった。例えば、プラズマ方式の平面テレビジョンの筐体では、６５型或いは１０３型モデルで、アルミ合金などの金属部材が採用されている。６５型では、Ｌ字型アングル材４４の長さは最大８１０ｍｍであり、Ｌ字型アングル材４４の板厚は２．０ｍｍから３．０ｍｍの範囲である。また、１０３型では、長さは最大１３１０ｍｍであり、Ｌ字型アングル材４４の板厚は４．０ｍｍである。
【０００６】
アルミ合金により製作されるＬ字型アングル材４４の板厚は、軽量化のためより薄く設計されており、通常３ｍｍから１．５ｍｍ程度の厚さの材料が使用される。アルミ合金の種類は、ＪＩＳ表示で６０００番系、金属柱は２０００番系のものが採用される場合が多い。また、このＬ字型アングル材４４にディスプレイ表示装置固定用金属柱４２を取り付けるにはアーク溶接、リベット接合或いは固相接合等が用いられる。
【０００７】
一方、特許文献１には、背面投射型テレビジョン受信機が開示されている。ここでは、スクリーン枠は、４本のスクリーン枠部材が枠固定具及びコーナー金具により接続されることが記載されている。
【０００８】
【特許文献１】特開平８−６１６２号公報
【発明の開示】
【発明が解決しようとする課題】
【０００９】
ディスプレイ画面用筐体をプラスチック材で製作する場合には、一体成型により製作されるために、枠材を組み合わす必要はなかった。しかし、ディスプレイ画面の大型化に伴い、強度上の問題などからアルミ合金からなる枠材を組み立てる必要が生じた。上述したようにディスプレイ画面用筐体用に組み立てられる枠材は、各隅角部の組み合わせ部分を枠材の平枠の面内及び面外の３方向のそれぞれについて、高い組立精度を確保しなければならないという問題が発生した。
【００１０】
本願の目的は、かかる課題を解決し、組み合わされた枠材相互の隙間や段差などについて高い組立精度が確保可能なディスプレイ画面用筐体を提供することである。
【課題を解決するための手段】
【００１１】
上記目的を達成するため、本発明に係るディスプレイ画面用筐体は、Ｌ字型断面の４本の枠材を組み合わせ、枠材は、組み合わされることで平面を形成してディスプレイ画面を取り囲む平枠と、平枠を取り囲む帯状の縦枠とにより構成されるディスプレイ画面用筐体において、縦枠の両端の内側にフランジ部とウエブ部とからなるＬ字型断面の第１リブ及びＴ字型断面の第２リブが長手方向に並列して設けられ、それぞれのウエブ部が縦枠に接続される枠材と、組み合わされる枠材双方の第１リブのフランジ部に係止される第１締結金具と、組み合わされる枠材双方の第２リブの一方のフランジ部に係止される第２締結金具と、第１締結金具と第２締結金具とを締め込む締結ネジと、組み合わされた枠材双方の第２リブの他方のフランジ部にその一端が係止され、組み合わされた枠材双方の平枠の両端の内側に設けられたネジ付き金属柱にネジにより締結されるクロス金具と、を備え、第１締結金具及び第２締結金具は、締結ネジにより締め付けられることで双方の平枠の面内の隙間を塞ぎ、クロス金具は、ネジを締め込まれることで双方の平枠の面外の段差を矯正することを特徴とする。
【００１２】
また、ディスプレイ画面用筐体は、第１締結金具が、その端部が第２締結金具に向かう方向に傾斜する傾斜部を有して第１リブのフランジ部の端部に接触し、第２締結金具が、その端部が第１締結金具に向かう方向に傾斜する傾斜部を有して第２リブの一方のフランジ部の端部に接触し、締結ネジにより第１締結金具及び第２締結金具が締め付けられると、第１リブのフランジ部の端部と第２リブの一方のフランジ部の端部とが第１締結金具及び第２締結金具のそれぞれの傾斜部により押し出され、双方の平枠の面内の隙間が塞がれることが好ましい。
【００１３】
上記目的を達成するため、ディスプレイ画面用筐体は、Ｌ字型断面の４本の枠材を組み合わせ、枠材は、組み合わされることで平面を形成してディスプレイ画面を取り囲む平枠と、平枠を囲む帯状の縦枠とにより構成されるディスプレイ画面用筐体において、縦枠の両端の内側にフランジ部とウエブ部とからなるＬ字型断面の第１リブ及びＴ字型断面の第２リブが長手方向に並列して設けられ、それぞれのウエブ部が縦枠に接続される枠材と、組み合わされる双方の枠材の隅角部に設けられるコーナー部材と、コーナー部材に対向して設けられ、組み合わされた枠材双方の第１リブのフランジ部、及び第２リブの一方のフランジ部に係止される締付け金具と、コーナー部材と締付け金具とを締め込む締付けネジと、組み合わされた枠材双方の第２リブの他方のフランジ部にその一端が係止され、組み合わされた枠材双方の平枠の両端の内側に設けられたネジ付き金属柱にネジにより締結されるクロス金具と、を備え、締付け金具は、締付けネジにより締め付けられることで双方の平枠の面内の隙間を塞ぎ、クロス金具は、ネジを締め込むことで双方の平枠の面外の段差を矯正することを特徴とする。
【００１４】
また、ディスプレイ画面用筐体は、締付け金具が、第１リブのフランジ部の端部、及び第２リブの一方のフランジ部の端部に接触する部分にコーナー部材に向かう方向に傾斜する傾斜部を有し、締付けネジにより締付け金具が締め付けられると、第１リブのフランジ部の端部と第２リブの一方のフランジ部の端部とが締付け金具の傾斜部により押し出され、双方の平枠の面内の隙間が塞がれることが好ましい。
【００１５】
また、ディスプレイ画面用筐体は、コーナー部材が、双方の枠材の縦枠と斜めに交差する隅切り面を有することが好ましい。
【００１６】
さらに、ディスプレイ画面用筐体は、枠材の平枠には長手方向に突起部が設けられ、クロス金具が、組み合わされた枠材双方の突起部に他端部が係止されることが好ましい。
【発明の効果】
【００１７】
上記構成により、ディスプレイ画面用筐体は、第１締結金具及び第２締結金具を締結ネジにより締め込むことで双方の平枠の面内の隙間が塞がれ、クロス金具をネジにより締め込むことで双方の平枠の面外の段差を矯正することができ、各隅角部の組み合わせ部分を枠材の平枠の面内及び面外の３方向のそれぞれについて、高い組立精度が確保できる。
【００１８】
また、ディスプレイ画面用筐体は、コーナー部材と対向する締付け金具を締付けネジにより締め込むことで双方の平枠の面内の隙間が塞がれ、クロス金具をネジにより締め込むことで双方の平枠の面外の段差を矯正することができ、各隅角部の組み合わせ部分を枠材の平枠の面内及び面外の３方向のそれぞれについて、高い組立精度が確保できる。
【００１９】
以上のように、本発明に係るディスプレイ画面用筐体によれば、組み合わされた枠材相互の隙間や段差などについて高い組立精度が確保可能なディスプレイ画面用筐体を提供することが可能となる。
【発明を実施するための最良の形態】
【００２０】
以下に、図面を用いて本発明に係るディスプレイ画面用筐体の実施の形態につき、詳細に説明する。
【００２１】
図１に、ディスプレイ画面用筐体の第１の実施形態の概略構成を示す。図１では、枠材２ａ，２ｂが相互に組み合わされる隅角部３３近傍のみを示す。ディスプレイ画面用筐体１は、Ｌ字型断面である枠材２ａ，２ｂ、第１締結金具５、第２締結金具６、締結ネジ７、及びクロス金具８から構成される。また、枠材２ａ，２ｂは、平枠３ａ，３ｂ及び縦枠４ａ，４ｂから成るＬ字型断面の部材である。図１では、枠材２ａの平枠３ａの端部が切断されて枠材２ａ及び２ｂが突き合わされ、枠材２ｂの平枠３ｂの端部がその切断部分に挿入される。このように、相互に組み合わされた枠材２ａ，２ｂにより、相互の平枠３ａ，３ｂ及び縦枠４ａ，４ｂが連続することになる。但し、この枠材２ａ，２ｂの切断方法はこれに限らず、枠材２ａ，２ｂをそれぞれ斜めに切断して組み合わせても良い。
【００２２】
図２に、ディスプレイ画面用筐体１の平面図を示す。また、図３に、図２の断面を示し、図３（ａ）は図２に２点鎖線で示すＡ−Ａで切断した断面図であり、図２（ｂ）は図２に２点鎖線で示すＢ−Ｂで切断した断面図である。図３に示すように、枠材２ａ，２ｂの両端の縦枠４ａ，４ｂ部分の内側には、Ｌ字型断面の第１リブ９ａ，９ｂとＴ字型断面の第２リブ１０ａ，１０ｂとが枠材２ａ，２ｂの長手方向に並列して設けられる。そして、第１リブ９ａ，９ｂの第１リブウエブ２１、及び第２リブ１０ａ，１０ｂの第２リブウエブ２２が縦枠４ａ，４ｂに接続される。第１締結金具５は、下方に開いた第１締結金具折り返し部１５を有し、組み合わされた枠材２の第１リブ９ａ，９ｂの上向きの第１リブフランジ１８に係止される。また、第２締結金具６は、上方に開いた第２締結金具折り返し部１６を有し、組み合わされた枠材２双方の第２リブ１０ａ，１０ｂの第２リブ下向きフランジ２０に係止される。そして、第１締結金具５と第２締結金具６とは、締結ネジ７により締め付けられる。
【００２３】
枠材２ａ及び２ｂは、組み合わせられて隅角部３３を構成し、４つの隅角部３３を有するディスプレイ画面用筐体１を形成する。この枠材２ａ及び２ｂは、図１に示すようにＣ面とＤ面とが突き合わされてＹ方向の組立精度が決まる。同様にＥ面とＦ面とが突き合わされてＸ方向の組立精度が決まる。すなわち、組立精度が悪いと、Ｃ面とＤ面との間、或
いはＥ面とＦ面との間に隙間が発生する。
【００２４】
図４を用いて、双方の平枠３ａ，３ｂの面内の隙間を塞ぐメカニズムを説明する。締結ネジ７は、第１締結金具５に設けられた孔部２５と、第２締結金具６に設けられ、内側にネジ山が切られた孔部２６とを貫通する。また、第１締結金具５は、その端部が第２締結金具６に向かう方向に傾斜する第１傾斜部２３を有して第１リブフランジ１８の端部に接触し、第２締結金具６は、その端部が第１締結金具５に向かう方向に傾斜する第２傾斜部２４を有して第２リブ下向きフランジ２０の端部に接触する。締結ネジ７により第１締結金具５及び第２締結金具６が締め付けられると、第１締結金具５は図４のｄ1の方向に、第２締結金具６は図４のｄ2の方向に寄せられる。このとき、第１リブフランジ１８の端部は第１締結金具５の第１傾斜部２３により図４のｄ3の方向に押し出され、第２リブ下向きフランジ２０の端部は第２締結金具６の第２傾斜部２４により図４のｄ4の方向に押し出される。その結果、双方の平枠３ａ，３ｂは、それらの面内に発生した隙間を塞ぐ方向に移動し、図１に示すＣ面とＤ面、或いはＥ面とＦ面が０．１ｍｍ以下の誤差で突き合わされる。
【００２５】
また、図１及び図３（ｂ）に示すように、クロス金具８は、組み合わされた枠材２の第２リブ１０ａ，１０ｂの第２リブ上向きフランジ１９に係止される。また、枠材２ａ，２ｂの平枠３ａ，３ｂ部分には、金属柱１１ａ，１１ｂが所定の位置に設けられる。金属柱１１ａ，１１ｂは、平枠３ａ，３ｂに取付けられたクロス金具ストッパ１４ａ，１４ｂによりずれ止めされる。クロス金具８は、金属柱用ネジ１２により金属柱１１に固定される。
【００２６】
そして、クロス金具８取り付け用の金属柱１１にクロス金具８を締付けることで、Ｚ方向の組立精度を確保する。すなわち、クロス金具８は、金属柱用ネジ１２を締め込むことで双方の平枠３ａ，３ｂの面外の段差を矯正し、０．１ｍｍ以下の誤差で枠材２ａ及び枠材２ｂを固定することができる。
【００２７】
図５及び図６には、締結金具５，６及びクロス金具８を用いた枠材２ａ，２ｂの組立方法を示す。図５には、締結金具５及び６により枠材２を締結ネジ７で締付けた状態を示す。この状態で所定の強さまで締結ネジ７を締付けることで、図１に示すＣ面とＤ面、或いはＥ面とＦ面が突き合わされる。
【００２８】
図６には、クロス金具８で２つの枠材２ａ，２ｂをＺ方向に固定した状態を示す。図６に示されるようにクロス金具８を枠材２の平板３に取り付けて金属柱用ネジ１２により金属柱１１に締付ける。同時に、ＸとＹ方向を決める締結ネジ７を締め増す。この作業を数回繰り返してディスプレイ画面用筐体１の組み立てを完了する。
【００２９】
図７に、ディスプレイ画面用筐体の第２の実施形態の概略構成を示す。図７では、枠材２ａ，２ｂが相互に組み合わされる隅角部近傍３０のみを示す。ディスプレイ画面用筐体３０は、Ｌ字型断面である枠材２ａ，２ｂ、コーナー部材２７、締付け金具２８、締付けネジ２９、及びクロス金具８から構成される。また、枠材２ａ，２ｂは、平枠３ａ，３ｂ及び縦枠４ａ，４ｂから成るＬ字型断面の部材である。図７では、枠材２ａの平枠３ａと枠材２ａの平枠３ｂとが共に斜めに切断されて突き合わされる。このように、相互に組み合わされた枠材２ａ，２ｂにより、相互の平枠３ａ，３ｂ及び縦枠４ａ，４ｂが連続することになる。なお、第１の実施形態と同様な構成要素については、同一の符号を付してその説明は省略する。
【００３０】
コーナー部材２７は、組み合わされる双方の枠材２ａ，２ｂの隅角部３３に設けられる。図８に、コーナー部を透視図により示す。コーナー部材２７は、双方の枠材２ａ，２ｂの縦枠４ａ，４ｂと斜めに接続する隅切り面３２を有する。締付け金具２８は、コーナー部材２７に対向して設けられ、第１の実施形態と同様に組み合わされた枠材２ａ，２ｂ双方の第１リブフランジ１８、及び第２リブ下向きフランジ２０に係止される。締付け金具２８は、締付けネジ２９により締め付けられる。
【００３１】
図９を用いて、双方の枠材２ａ，２ｂの面内の隙間を塞ぐメカニズムを説明する。締付け金具２８は、その両端部が隅角部３３に向かう方向に傾斜する第３傾斜部３１ａ，３１ｂを有して第１リブフランジ１８の端部、及び第２リブ下向きフランジ２０の端部に接触する。締付けネジ２９によりコーナー部材２７と締付け金具２８とが締め付けられると、締付け金具２８は図９のｄ5の方向に寄せられる。このとき、第１リブフランジ１８の端部、及び第２リブ下向きフランジ２０の端部は、締付け金具２８の第３傾斜部３１ａ，３１ｂにより図９のｄ6の方向に押し出される。その結果、双方の縦枠４ａ，４ｂは面内に発生した隙間を塞ぐ方向に移動し、図７に示すＧ面とＨ面が０．１ｍｍ以下の誤差で突き合わされる。
【００３２】
そして、金属柱用ネジ１２を用いて、クロス金具８取り付け用の金属柱１１にクロス金具８を締付けることで、Ｚ方向の組立精度を確保する。すなわち、クロス金具８は、金属柱用ネジ１２を締め込むことで双方の平枠３ａ，３ｂの面外の段差を矯正し、０．１ｍｍ以下の誤差で枠材２ａ及び枠材２ｂを固定することができる。
【００３３】
図１０に、クロス金具８で２つの枠材２ａ，２ｂをＺ方向に固定した状態を示す。図１０に示されるようにクロス金具８を枠材２ａ，２ｂの平板３ａ，３ｂに取り付け、Ｚ方向の寸法を調整し、金属柱用ネジ１２により金属柱１１に締付けてディスプレイ画面用筐体３０の組み立てを完了する。
【図面の簡単な説明】
【００３４】
【図１】本発明に係るディスプレイ画面用筐体の第１の実施形態の概略構成を示す透視図である。
【図２】ディスプレイ画面用筐体の平面図である。
【図３】図２の枠材の組み合わせ部分をＡ−Ａ断面及びＢ−Ｂ断面で示した断面図である。
【図４】双方の平枠の面内の隙間を塞ぐメカニズムを説明する断面図である。
【図５】締結金具により２つ枠材を締結ネジで締付けた状態を示す透視図である。
【図６】クロス金具で２つ枠材をＺ方向に固定した状態を示す透視図である。
【図７】本発明に係るディスプレイ画面用筐体の第２の実施形態の概略構成を示す透視図である。
【図８】コーナー部を示す透視図である。
【図９】双方の平枠の面内の隙間を塞ぐメカニズムを説明する断面図である。
【図１０】クロス金具で２つの枠材をＺ方向に固定した状態を示す透視図である。
【図１１】従来のディスプレイ画面用筐体の１つの実施例を示す透視図である。
【符号の説明】
【００３５】
１，３０，４０  ディスプレイ画面用筐体、２，４４  枠材（Ｌ字型アングル材）、３，４６  平枠、４，４５  縦枠、５  第１締結金具、６  第２締結金具、７  締結ネジ、８  クロス金具、９  第１リブ、１０  第２リブ、１１  金属柱、１２  金属柱用ネジ、１４  クロス金具ストッパ、１５  第１締結金具折り返し部、１６  第２締結金具折り返し部、１８  第１リブフランジ、１９  第２リブ上向きフランジ、２０  第２リブ下向きフランジ、２１  第１リブウエブ、２２  第２リブウエブ、２３  第１傾斜部、２４  第２傾斜部、２５，２６  ネジ孔、２７  コーナー部材、２８  締付け金具、２９  締付けネジ、３１  第３傾斜部、３２  隅切り面、３３  隅角部、４２  ディスプレイ表示装置固定用金属柱、４３  金属柱ネジ部。
【図１】
0004916465.tif 000002
【図２】
0004916465.tif 000003
【図３】
0004916465.tif 000004
【図４】
0004916465.tif 000005
【図５】
0004916465.tif 000006
【図６】
0004916465.tif 000007
【図７】
0004916465.tif 000008
【図８】
0004916465.tif 000009
【図９】
0004916465.tif 000010
【図１０】
0004916465.tif 000011
【図１１】
0004916465.tif 000012